(57)【要約】【課題】掃除機ヘッドとして使用することができ、且つ、単体でも塵取りと箒として使用できる塵取り付箒兼用掃除機ヘッドを提供する。【解決手段】  塵取り付箒兼用掃除機ヘッド１００は、中空の本体部１０と、ブラシ２０と、ブラシ２０の内側に設けられた筒状で先端が斜めにカットされ一対として互いに向き合う複数のノズル３０と、ホース接続部１０ｂを覆うように嵌め込まれたカバー４０と、カバー４０に嵌め込まれ且つ着脱自在なように形成された塵取り５０とを有している。塵取り付箒兼用掃除機ヘッド１００は、掃除機用ヘッドとして用いることができ、且つ、塵取りと箒として用いてことができ、容易に一体化または取り外しすることができる優れた機能を有するものである。【選択図】図１
0003216962.tif 000002
【実用新案登録請求の範囲】
【請求項１】
ヘッド先端部とホース接続部を有する中空の本体部と、
前記ヘッド先端部に嵌め込まれ且つ着脱自在なように形成されたブラシと、
前記ヘッド先端部の前記ブラシの内部に設けられた筒状で先端が斜めにカットされ互いに向き合い一対として形成され、周囲に開口を有する複数のノズルと、
前記ホース接続部を覆うように嵌め込まれ且つ着脱自在なように形成されたカバーと、
前記カバーに嵌め込まれ且つ着脱自在なように形成された塵取りと、を有することを特徴とする塵取り付箒兼用掃除機ヘッド。
【請求項２】
掃除機ヘッドとして使用するときにおいて、
前記本体部から前記塵取り、前記カバー及び前記ブラシが外された状態で、前記ホース接続部が、掃除機のホースに接続され、前記複数のノズルを介して前記掃除機がゴミを吸収することを特徴とする請求項１に記載の塵取り付箒兼用掃除機ヘッド。
【請求項３】
塵取りと箒として使用するときにおいて、
前記本体部から前記塵取りが外された状態で、
前記塵取りと、前記本体部と前記ブラシを箒として用いることを特徴とする請求項１に記載の塵取り付箒兼用掃除機ヘッド。
【請求項４】
接続パイプを有し、
前記接続パイプは、前記ホース接続部を覆い、前記ホースに嵌めこまれるように形成されていることを特徴とする請求項２に記載の塵取り付箒兼用掃除機ヘッド。
【請求項５】
前記接続パイプの一端の外径は、３３．４ｍｍまたは３４．１ｍｍとなるように形成されていることを特徴とする請求項４に記載の塵取り付箒兼用掃除機ヘッド。
【考案の詳細な説明】
【技術分野】
【０００１】
本考案は、塵取り付箒兼用掃除機ヘッドに関する。
【背景技術】
【０００２】
箒として機能することが可能な電気掃除機として、棒状の柄の軸方向と直交する方向に延びる吸塵口に沿う列状のブラシを設けて箒として機能させているものが開示されている。また、サッシの溝、ソファーの隙間などの狭い場所、隅などの掃除を可能とする掃除機ヘッドが開示されている。
【先行技術文献】
【特許文献】
【０００３】
【特許文献１】特開２００４−３１３２４９号公報
【特許文献２】実登３２００３３９号公報
【考案の概要】
【考案が解決しようとする課題】
【０００４】
箒として機能することが可能な電気掃除機は、複雑な構成であり使いにくいという問題があり、簡易で掃除機に簡易に取り付けることができる掃除機用ヘッドが求められていた。
【０００５】
本考案は、こうした点に鑑みてなされたものであり、掃除機ヘッドとして使用することができ、且つ、単体でも塵取りと箒として使用できる塵取り付箒兼用掃除機ヘッドを提供するものである。
【課題を解決するための手段】
【０００６】
上記課題を解決するために、本考案に係る塵取り付箒兼用掃除機ヘッドは、ヘッド先端部とホース接続部を有する中空の本体部と、前記ヘッド先端部に嵌め込まれ且つ着脱自在なように形成されたブラシと、前記ヘッド先端部の前記ブラシの内部に設けられた筒状で先端が斜めにカットされ互いに向き合い一対として形成され、周囲に開口を有する複数のノズルと、前記ホース接続部を覆うように嵌め込まれ且つ着脱自在なように形成されたカバーと、前記カバーに嵌め込まれ且つ着脱自在なように形成された塵取りと、を有することを特徴とする。
【０００７】
本考案に係る塵取り付箒兼用掃除機ヘッドの対様について、掃除機ヘッドとして使用するときにおいて、前記本体部から前記塵取り、前記カバー及び前記ブラシが外された状態で、前記ホース接続部が、掃除機のホースに接続され、前記複数のノズルを介して前記掃除機がゴミを吸収することが好ましい。
【０００８】
本考案に係る塵取り付箒兼用掃除機ヘッドの態様について、塵取りと箒として使用するときにおいて、前記本体部から前記塵取りが外された状態で、前記塵取りと、前記本体部と前記ブラシを箒として用いることが好ましい。
【０００９】
本考案に係る塵取り付箒兼用掃除機ヘッドの態様について、接続パイプを有し、前記接続パイプは、前記ホース接続部を覆い、前記ホースに嵌めこまれるように形成されていることが好ましく、また、前記接続パイプの一端の外径は、３３．４ｍｍまたは３４．１ｍｍとなるように形成されていることが好ましい。
【考案の効果】
【００１０】
本考案によれば、掃除機ヘッドとして使用することができ、且つ、単体でも塵取りと箒として使用できる塵取り付箒兼用掃除機ヘッドを提供することができる。
【図面の簡単な説明】
【００１１】
【図１】実施形態の塵取り付箒兼用掃除機ヘッドの一例を示す模式図である。
【図２】実施形態の塵取り付箒兼用掃除機ヘッドが掃除機ヘッドとして用いられている一例及び塵取りと箒として用いられている一例を示す模式図である。
【図３】実用新案の塵取り付箒兼用掃除機ヘッドの一例を示す参考図である。
【考案を実施するための形態】
【００１２】
以下、本考案の塵取り付箒兼用掃除機ヘッドの実施形態を、図１から図４を用いて説明する。図１（ａ）は、塵取り付箒兼用掃除機ヘッド１００を正面から見た模式図であり、図１（ｂ）は、塵取り付箒兼用掃除機ヘッド１００を斜めから見た模式図である。図２（ａ）は、塵取り付箒兼用掃除機ヘッド１００を掃除機ヘッドとしての使用の一例を示す模式図であり、この例においては、ブラシ２０が取り付けられているが、ブラシ２０を取り外した状態で使用してもよく、図２（ｂ）は、塵取り付箒兼用掃除機ヘッド１００を塵取りと箒として使用している一例を示す模式図である。図３は、接続パイプ６０を含む塵取り付箒兼用掃除機ヘッド１００を示す参考図である。
【００１３】
実施形態の塵取り付箒兼用掃除機ヘッド１００は、合成樹脂例えばＡＢＳ樹脂で形成されたヘッド先端部１０aとホース接続部１０ｂを有する中空の本体部１０と、ヘッド先端部１０ａに嵌め込まれ且つ着脱自在なように、例えばナイロンで形成されたブラシ２０と、ヘッド先端部１０ａに設けられたブラシ２０の内部、つまり内側に設けられた筒状で先端が斜めにカットされ一対として互いに向き合い例えばＴＰＵで形成され、周囲に開口を有する複数のノズル３０と、ホース接続部１０ｂを覆うように嵌め込まれ且つ着脱自在なように例えばポリプロピレンで形成されたカバー４０と、カバー４０に嵌め込まれ且つ着脱自在なように例えばＡＢＳ樹脂で形成された塵取り５０とを有している。
【００１４】
ノズル３０は、上記のとおり筒状であり、この筒状の内部がゴミを吸い取るように形成されている。ノズル３０の周囲の開口は、掃除機の吸引力で、ノズル３０が変形しないように設けられたものである。つまり開口からも吸引される構造となっている。この例では、ノズル３０は、一対の組が６組設けられており、また開口は４つ設けられているが、これに限定されず適宜最適な構成とすればよい。また、ノズル３０の先端は、斜めにカットされているが、一対の組み合わせにおいて、鋭利な先端が向きあうようになっており、隅や隙間のホコリを効率よく吸い取ることができるようになっている。
【００１５】
上記の構成を有する塵取り付箒兼用掃除機ヘッド１００は、掃除機用ヘッドとして用いることができ、且つ、塵取りと箒として用いてことができ、つまりこの考案の塵取り部分と掃除機ヘッド部分は、容易に一体化または取り外しすることができる優れた機能を有し、また、塵取りと一体化して収納することができるものである。以下、それぞれの使用態様について説明する。
【００１６】
まず、掃除機ヘッドとして使用するときについて説明する。塵取り付箒兼用掃除機ヘッド１００は、本体部１０から塵取り５０、カバー４０及びブラシ２０が外された状態で、ホース接続部１０ｂが掃除機のホースＨに接続された状態にして使用する。
【００１７】
このようにして塵取り付箒兼用掃除機ヘッド１００を掃除機ヘッドとして用いることで、複数のノズル３０を介して掃除機がゴミを吸収することができ、軟質ノズル先端が斜めになっていることで狭いところのゴミを吸い取りやすく、例えば扇風機、ファンヒーターなどの取りづらい隙間のホコリを効率よく取ることができる。なお、必要に応じブラシ２０は、取り外されることなく掃除機ヘッドの一部として使用してもよい。
【００１８】
次に、塵取りと箒として使用するときについて説明する。塵取り付箒兼用掃除機ヘッド１００は、本体部１０から塵取り５０が外された状態で、塵取り５０を塵取りとして使用し、且つ、本体部１０とブラシ２０を箒として使用する。
【００１９】
このようにして塵取り付箒兼用掃除機ヘッド１００を塵取りと箒として使用することにより、掃除機を使用することなく、気づいたときにさっとてがるに掃除をすることができる。また、本体部１０のホース接続部１０ｂをカバー４０が覆うように設けられていることにより、手を汚さずに掃除をすることができるようになっている。
【００２０】
また、塵取り付箒兼用掃除機ヘッド１００は、掃除機のパイプの形状に合わせて接続できるように接続パイプ６０を設けてもよい。接続パイプ６０は、ホース接続部１０ｂを覆い、ホースＨに嵌めこまれるように形成されている。
【００２１】
接続パイプ６０は複数設けてもよく、この例において、接続パイプ６０の一端の外径は、３３．４ｍｍまたは３４．１ｍｍとなるように形成されている。このような接続パイプ６０を提供することで、掃除機ヘッドを使用することができなかった掃除機においても、ペット用掃除機ヘッド１００の使用を可能にすることができ、より汎用性に富むものとすることができる。なお、上記の外径の数値は、許容範囲を有しており、本実施形態において許容範囲は、例えば、上記の外径の数値を中心として、プラスマイナス１．０ｍｍ以内である。
【００２２】
上記のとおり塵取り付箒兼用掃除機ヘッド１００は、掃除機ヘッドとして使用することができ、また、塵取りと箒として用いることができることより、気づいた時にさっと手軽に、掃除機を用いることなく掃除をすることができる。また、塵取り付箒兼用掃除機ヘッド１００は、掃除機ヘッドとしても塵取りと箒としても使用しないときに狭い場所であっても、立てて収納することができ、使用したいときにサッととりだすことができ、さらに、カバー４０に紐を通しておくことにより吊るしての収納も可能となる。
【００２３】
以上、本考案の有する特徴及び優れた点を上記実施形態に記載したが、本考案は、本願の実用新案登録請求の範囲で使用されている言葉を広く一般的な意味に拡張して実施することができる。
【００２４】
また、本考案の塵取り付箒兼用掃除機ヘッドは、大きさや形状、素材の種類、厚さ、重さなどについては多様な実施形態が可能であり、それらについて本実施形態と異なる形態による実施は、本考案の技術的範囲に含まれる。
【符号の説明】
【００２５】
１００  塵取り付箒兼用掃除機ヘッド
１０    本体部
１０ａ  ヘッド先端部
１０ｂ  ホース接続部
２０    ブラシ
３０    ノズル
４０    カバー
５０    塵取り
６０    接続パイプ
Ｈ      ホース
【図１】
0003216962.tif 000003
【図２】
0003216962.tif 000004
【図３】
0003216962.tif 000005